(57)【要約】  計量機能を備えたショックアブソーバ及び洗濯機であって、当該ショックアブソーバは、懸架ロッド（１）、収容空間を有する第１筐体（２）、及び、第１筐体（２）内に装着される圧力緩衝機構（３）を含み、第１筐体（２）は上端にブラケット（２１）が設けられるとともに下端に開口（２２）を有し、更に、収容空間を有する第２筐体（４）と、第２筐体（４）内に装着される計量機構（５）を含み、第２筐体（４）は摺動可能に第１筐体（２）の下端の開口（２２）内に設けられ、懸架ロッド（１）は、ブラケット（２１）を貫通して第１筐体（２）内に延伸し、圧力緩衝機構を（３）貫通して第２筐体（４）内の計量機構（５）に接続されている。従来のショックアブソーバを前提に計量バネ（５１）を追加することで、振動減衰バネの減衰により生じる振動減衰バネの変位や重量への影響が回避される。また、計量バネ（５１）を追加して測定範囲を広げることで、計量センサによる測定の精度及び範囲が向上する。本発明は、良好な振動減衰効果、的確な計量、コンパクトな構造、使用寿命の長期化との特性を有する。【選択図】図１
2019502075.tif 000002
【特許請求の範囲】
【請求項１】
懸架ロッド、収容空間を有する第１筐体、及び、第１筐体内に装着される圧力緩衝機構を含み、第１筐体は上端にブラケットが設けられるとともに下端に開口を有する計量機能を備えたショックアブソーバにおいて、
更に、収容空間を有する第２筐体と、第２筐体内に装着される計量機構を含み、第２筐体は摺動可能に第１筐体の下端の開口内に設けられ、懸架ロッドは、ブラケットを貫通して第１筐体内に延伸し、圧力緩衝機構を貫通して第２筐体内の計量機構に接続されていることを特徴とするショックアブソーバ。
【請求項２】
前記計量機構は、計量バネ、電磁コイル及び磁気コアを含み、計量バネは懸架ロッドに覆設されており、上端が第２筐体の内壁に支持及び接続されるとともに、下端が懸架ロッドの基端に支持及び接続されており、磁気コアは第２筐体に対して相対的に運動するよう懸架ロッドの基端の下方に設けられており、電磁コイルは磁気コアの外部に設けられるとともに、コイルホルダを介して第２筐体内に固着されていることを特徴とする請求項１に記載の計量機能を備えたショックアブソーバ。
【請求項３】
前記計量機構は更に磁気コアホルダを含み、磁気コアは磁気コアホルダに装着されており、磁気コアホルダと懸架ロッドの基端の間には調整バネが設けられていることを特徴とする請求項２に記載の計量機能を備えたショックアブソーバ。
【請求項４】
前記計量バネと懸架ロッドの基端の間にはバネホルダが設けられており、バネホルダは懸架ロッドの基端に支持されており、バネホルダと磁気コアホルダが組み合わされることで、これらの相対的な摺動を案内するガイド部が形成されることを特徴とする請求項３に記載の計量機能を備えたショックアブソーバ。
【請求項５】
前記バネホルダは、下端が開口した筒状構造であり、上端に計量バネを支持する支持部材が設けられており、支持部材は懸架ロッドの基端に支持されており、好ましくは、支持部材と懸架ロッドの基端の間に支持パッドが設けられており、前記磁気コアホルダは上端が開口した筒状構造であり、磁気コアホルダの上端の開口はバネホルダの下端の開口に嵌接し、これらが相対的に摺動することでガイド部が構成され、ガイド部の内部には収容空間が形成されており、調整バネが当該収容空間に設けられていることを特徴とする請求項４に記載の計量機能を備えたショックアブソーバ。
【請求項６】
前記磁気コアホルダは２段階に径が変化する筒状構造をなしており、上段がバネホルダと組み合わされてガイド部を構成するとともに、下段が磁気コア装着部を構成しており、好ましくは、上段の磁気コアホルダとコイルホルダの間に支持バネが設けられており、より好ましくは、支持バネの弾性係数が調整バネの弾性係数よりも小さいことを特徴とする請求項５に記載の計量機能を備えたショックアブソーバ。
【請求項７】
前記圧力緩衝機構は振動減衰バネとバネ支持ベースを含み、振動減衰バネはブラケットとバネ支持ベースの間に支持されており、バネ支持ベースは第２筐体に支持されており、好ましくは、前記振動減衰バネの弾性係数が計量バネの弾性係数よりも小さいことを特徴とする請求項２に記載の計量機能を備えたショックアブソーバ。
【請求項８】
前記バネ支持ベースは、振動減衰バネ受、含油フェルト及びスライドカップを少なくとも含み、振動減衰バネの下端は振動減衰バネ受の上方に支持されており、含油フェルト及びスライドカップは振動減衰バネ受の下方、第２筐体の上方に順に設けられていることを特徴とする請求項７に記載の計量機能を備えたショックアブソーバ。
【請求項９】
前記第１筐体と第２筐体の間は密封されており、第１筐体の下端と第２筐体の外部には密封接続部材が設けられており、密封接続部材は、第１筐体に接続される接続部と、第１筐体及び第２筐体をそれぞれ密封する密封部を含み、好ましくは、密封部は第１筐体を軸方向に密封し、第２筐体を径方向に密封することを特徴とする請求項１に記載の計量機能を備えたショックアブソーバ。
【請求項１０】
請求項１〜９のいずれかに記載の計量機能を備えたショックアブソーバを有することを特徴とする洗濯機。
【発明の詳細な説明】
【技術分野】
【０００１】
本発明は洗濯機の分野に関し、具体的にはショックアブソーバであって、特に、計量機能を備えたショックアブソーバ及び当該ショックアブソーバを備える洗濯機に関する。
【背景技術】
【０００２】
従来の全自動洗濯機の大部分は、衣類が投入された洗浄槽をモータで回転させることで計量機能を実現している。この計量の実現方式には次のようなものがある。
１．モータが第１の所定の回転速度に到達し、且つ、第１の所定の回転速度で等速回転するよう制御することで、このときのモータの第１トルクを測定する。続いて、モータが第１の所定の回転速度から第２の所定の回転速度となるまで加速するよう制御して、モータが第１の所定の回転速度から第２の所定の回転速度まで上昇する際の上昇トルクを測定する。最後に、モータが第２の所定の回転速度で等速回転するよう制御し、このときのモータの第２トルクを測定する。そして、トルクの変化値から洗浄槽内の衣類の重量を算出する。
２．モータを第１の所定の回転速度に到達させてから、モータが突然停電するよう制御する。そして、停電から静止までのモータの回転数を検出することで、洗浄槽内の衣類の重量を算出する。また、モータを第１の所定の回転速度に到達させてからモータが突然停電するよう制御し、停電後にモータから発生する逆起電力を検出することで、洗浄槽内の衣類の重量を算出してもよい。
【０００３】
上記のいずれの方式で衣類の重量計測を実現するにしても、衣類の重量はモータによって計測される。これらの計量方式は、モータの種類、伝動ベルトの張力、洗浄槽システムの摩擦力等の条件の影響を受けることが多いため、計量精度が高いとはいえず、誤った判断をする場合も非常に多い。よく見られる状況としては、洗浄槽内の少量の衣類が多量の衣類として計量されることで洗濯用水が無駄となったり、反対に、洗浄槽内の多量の衣類が少量の衣類として計量されることで洗濯用水が不足し、衣類をきれいに洗浄できなかったりする。このような計量方式は一般的な参考としてしか使えず、水量を判断することもできない。現在は環境保護が提唱されているため、水の使用量を節約するだけでなく、洗剤の使用を控えつつ、衣類と洗剤及び水の使用量を最適に組み合わせる必要がある。しかし、上記のような計量方法ではユーザの要求を満すことは困難である。
【０００４】
特許文献１は、洗濯機の分野に関し、筐体及び洗浄槽を含むサスペンションを備える洗濯機について開示している。その特徴として、当該洗濯機は更にサスペンションを含み、前記サスペンションは、懸架足、懸架ロッド、バネカバー、バネ、バネ座、計量センサ及びセンサ座を含む。当該サスペンションは懸架足を介して筐体に固定接続されるとともに、バネカバーを介して洗浄槽に固定接続される。前記懸架ロッドは、懸架足に懸架及び装着される。前記バネカバー、バネ、バネ座、計量センサ及びセンサ座は、いずれも懸架ロッドに嵌設されている。前記バネは、バネカバーとバネ座の間に懸架及び装着される。前記計量センサはバネ座とセンサ座の間に装着されており、センサ座と懸架ロッドは相対的に固定されている。
【０００５】
上記の構造によれば的確な計量は可能なものの、次のような欠点が存在する。即ち、計量センサがサスペンションに装着されているため、洗濯機の部材組み付けがやや複雑となり、配線も容易でない。結果、安全上の潜在リスクが存在してしまう。また、サスペンションは主として振動の減衰に用いられるが、動作過程では洗浄槽全体が大きく振動するため、バネ座とセンサ座の間に装着される計量センサに対する圧力変化が大きく、使用寿命が短縮してしまう。
【０００６】
また、従来のショックアブソーバは構造自体にある程度の減衰性能が備わっているため、重力と振動減衰バネが線形関係をなさない場合が多い。また、給水状態では往々にして懸架ロッドのバネが密着し、測定範囲が不足する結果、洗濯機の計量に影響してしまう。
【０００７】
特許文献２は、洗濯機に設けられる計量装置と、当該計量装置に接続される計量回路を含む洗濯機の衣類重量検知装置及びその使用方法について開示している。前記計量回路は、マイクロプロセッサ、互いに直列であり且つマイクロプロセッサに接続されるバリスタ及び分圧保護抵抗を含み、バリスタの抵抗値の変化を用いて演算を行う。当該計量装置はハウジングにおける上部蓋板の上方に位置しているため、衣類を載置しやすい。当該計量装置としては、電子はかり等の計量装置が可能である。
【０００８】
当該構造は、従来の電子はかりを洗濯機のハウジング上方に内蔵したものに相当する。この場合、衣類の重量計測は可能なものの、毎回洗浄前に衣類を計量装置に載置し、計量した上で洗濯機に投入して洗浄せねばならないため、ユーザにとっては非常に面倒である。また、当該装置では洗濯機内の水量を計測できない。
【０００９】
更に、一部のメーカーではひずみゲージを洗濯機の底脚に装着することで計量機能を実現している。しかし、底脚構造に装着される周辺回路は接続が容易でなく、配線が困難なほか、安全上の潜在リスクも存在する。また、洗濯機の筐体上に物を置くことが習慣化しているユーザが多いことから、計量が不正確となってしまう。或いは、ユーザは毎回のように物を移動させねばならず、使用にあたり不便である。
【００１０】
これらに鑑みて、本発明を提案する。
【先行技術文献】
【特許文献】
【００１１】
【特許文献１】中国特許出願第２０１３２０３４０３０４．３号明細書
【特許文献２】中国特許出願第２０１２１０１７６７８６．３号明細書
【発明の概要】
【発明が解決しようとする課題】
【００１２】
本発明は、従来技術の瑕疵を解消し、振動減衰効果に優れ、計量が的確であり、構造がコンパクトであるとともに、使用寿命の長い計量機能を備えたショックアブソーバを提供することを解決すべき技術的課題とする。
【００１３】
本発明の他の目的は、当該ショックアブソーバを備える洗濯機を提供することである。
【課題を解決するための手段】
【００１４】
上記の技術的課題を解決すべく、本発明で採用する技術方案の基本思想について以下に述べる。
【００１５】
計量機能を備えたショックアブソーバであって、懸架ロッド、収容空間を有する第１筐体、及び、第１筐体内に装着される圧力緩衝機構を含み、第１筐体は上端にブラケットが設けられるとともに下端に開口を有し、更に、収容空間を有する第２筐体と、第２筐体内に装着される計量機構を含み、第２筐体は摺動可能に第１筐体の下端の開口内に設けられ、懸架ロッドは、ブラケットを貫通して第１筐体内に延伸し、圧力緩衝機構を貫通して第２筐体内の計量機構に接続されている。
【００１６】
更に、前記計量機構は、計量バネ、電磁コイル及び磁気コアを含み、計量バネは懸架ロッドに覆設されており、上端が第２筐体の内壁に支持及び接続されるとともに、下端が懸架ロッドの基端に支持及び接続されており、磁気コアは第２筐体に対して相対的に運動するよう懸架ロッドの基端の下方に設けられており、電磁コイルは磁気コアの外部に設けられるとともに、コイルホルダを介して第２筐体内に固着されている。
【００１７】
好ましくは、磁気コアは懸架ロッドの基端に接続されるか、或いは、懸架ロッドの基端の下方に弾性的に支持される。第２筐体が懸架ロッド上で摺動するとき、磁気コアは外力を受けて電磁コイルに対し相対的に運動する。すると、電磁コイルのインダクタンスが変化することで、洗濯機の外槽から第１筐体に付与される力の変化が反映される。
【００１８】
更に、前記計量機構は更に磁気コアホルダを含み、磁気コアは磁気コアホルダに装着されており、磁気コアホルダと懸架ロッドの基端の間には調整バネが設けられている。当該調整バネは、磁気コアホルダと懸架ロッドの基端の間に支持されるか、或いは、磁気コアホルダと懸架ロッドの基端を接続する。調整バネは圧縮が解放されると、懸架ロッドの基端と磁気コアホルダの間の接続部材となる。
【００１９】
更に、前記計量バネと懸架ロッドの基端の間にはバネホルダが設けられており、バネホルダは懸架ロッドの基端に支持されており、バネホルダと磁気コアホルダが組み合わされることで、これらの相対的な摺動を案内するガイド部が形成される。
【００２０】
更に、前記バネホルダは、下端が開口した筒状構造であり、上端に計量バネを支持する支持部材が設けられており、支持部材は懸架ロッドの基端に支持されており、好ましくは、支持部材と懸架ロッドの基端の間に支持パッドが設けられており、前記磁気コアホルダは上端が開口した筒状構造であり、磁気コアホルダの上端の開口はバネホルダの下端の開口に嵌接し、これらが相対的に摺動することでガイド部が構成され、ガイド部の内部には収容空間が形成されており、調整バネが当該収容空間に設けられている。
【００２１】
更に、前記磁気コアホルダは２段階に径が変化する筒状構造をなしており、上段がバネホルダと組み合わされてガイド部を構成するとともに、下段が磁気コア装着部を構成しており、好ましくは、上段の磁気コアホルダとコイルホルダの間に支持バネが設けられており、より好ましくは、支持バネの弾性係数が調整バネの弾性係数よりも小さい。
【００２２】
好ましくは、磁気コアが磁気コア装着部の外部に覆設される。磁気コア装着部の下端には係合爪が設けられており、係合爪と上段の磁気コアホルダを組み合わせることで磁気コアを位置決め及び装着する。
【００２３】
更に、前記圧力緩衝機構は振動減衰バネとバネ支持ベースを含み、振動減衰バネはブラケットとバネ支持ベースの間に支持されており、バネ支持ベースは第２筐体に支持されており、好ましくは、前記振動減衰バネの弾性係数が計量バネの弾性係数よりも小さい。
【００２４】
更に、前記バネ支持ベースは、振動減衰バネ受、含油フェルト及びスライドカップを少なくとも含み、振動減衰バネの下端は振動減衰バネ受の上方に支持されており、含油フェルト及びスライドカップは振動減衰バネ受の下方、第２筐体の上方に順に設けられている。
【００２５】
好ましくは、スライドカップは環状をなしており、懸架ロッドに覆設される。且つ、スライドカップの直径は第１筐体の内径に対応している。
【００２６】
第１筐体の内部には、振動減衰バネの弾性力により形成される懸架ロッドの減衰力のほか、その他の減衰力も存在している。例えば、スライドカップと第１筐体の内壁との摩擦により形成される減衰力や、第１筐体の内部におけるスライドカップの摺動による圧縮空気で形成される減衰力が含まれる。計量出力は磁気コアの位置によって変化し、磁気コアの位置は計量バネの変位により決定される。そこで、受ける力のバランスを取ることで、計量バネの力が振動減衰バネ及びその他による懸架ロッドの減衰の合力と等しくなるようにする。これによれば、計量バネにより測定される計量出力の変化がその他の懸架ロッドの減衰の影響を受けることがなく、計量がより正確となる。
【００２７】
更に、前記第１筐体と第２筐体の間は密封されており、第１筐体の下端と第２筐体の外部には密封接続部材が設けられており、密封接続部材は、第１筐体に接続される接続部と、第１筐体及び第２筐体をそれぞれ密封する密封部を含み、好ましくは、密封部は第１筐体を軸方向に密封し、第２筐体を径方向に密封する。
【００２８】
更に、接続部と密封部は軸方向に貫通する碗状構造を構成している。接続部は碗体、密封部は碗底をなしており、接続部が第１筐体の外周壁に係接している。好ましくは、接続部の開口端に内向きの係合爪が設けられており、第１筐体の外周壁に係合爪と係合する係合突起が設けられている。密封部と第１筐体における下端の開口の端面との間には第１シールリングが設けられており、密封部の内壁と第２筐体の外周壁との間には第２シールリングが設けられている。
【００２９】
本発明における前記ショックアブソーバを備える洗濯機は、従来のショックアブソーバを前提に計量バネを追加することで、振動減衰バネの減衰により生じる振動減衰バネの変位や重量への影響を回避する。また、計量バネを追加して測定範囲を広げることで、計量センサによる測定の精度及び範囲を向上させる。
【発明の効果】
【００３０】
上記の技術方案を用いることで、本発明は従来技術と比較して以下のような有益な効果を有する。
【００３１】
本発明はショックアブソーバに計量機構を設けることで計量機能を追加しており、計量精度が高く、誤差が小さいとの特性を有する。また、洗浄前の衣類重量や給水量、排水量、衣類の含水量等を正確に判断可能であり、洗濯機の自動化及びスマート化機能を追加するものである。本発明のショックアブソーバは、振動減衰性能に影響を与えることなく、計量バネを用いて振動減衰バネとその他の減衰との合力を測定することで正確な計量を実現する。また、計量バネと振動減衰バネを組み合わせることで測定範囲を拡大し、振動減衰効果を向上させる。このほか、２つの筐体を嵌接させることで、計量機構をショックアブソーバにおける他方の独立した筐体内に設けて、振動減衰バネが存在する筐体としっかりと組み合わせる。よって、構造がコンパクト化し、使用寿命が長期化する。
【図面の簡単な説明】
【００３２】
【図１】図１は、本発明におけるショックアブソーバの構造を示す図である。
【図２】図２は、本発明のショックアブソーバの他の状態における構造を示す図である。
【図３】図３は、本発明のショックアブソーバの他の状態における構造を示す図である。
【図４】図４は、本発明のショックアブソーバの他の状態における構造を示す図である。
【図５】図５は、本発明におけるショックアブソーバの他の構造を示す図である。
【図６】図６は、図２のＡ１部分の拡大図である。
【図７】図７は、本発明におけるショックアブソーバの計量機構による計量過程を示すグラフである。
【発明を実施するための形態】
【００３３】
以下に、図面を組み合わせて本発明の具体的実施形態につき更に詳細に述べる。
【００３４】
図１に示すように、本発明の計量機能を備えたショックアブソーバは、懸架ロッド１、収容空間を有する第１筐体２、及び、第１筐体２内に装着される圧力緩衝機構３を含む。第１筐体２は上端にブラケット２１が設けられており、下端に開口２２を備える。当該ショックアブソーバは、更に、収容空間を有する第２筐体４と、第２筐体内に装着される計量機構５を含む。第２筐体４は摺動可能に第１筐体２の下端の開口２２内に設けられるとともに、第１筐体２に対し相対的に摺動するよう設置されている。懸架ロッド１は、ブラケット２１を貫通して第１筐体２内に延伸し、圧力緩衝機構３を貫通して第２筐体４内の計量機構５に接続されている。第１筐体２と第２筐体４はいずれもスリーブ構造をなしており、第１筐体２の下端の開口２２が第２筐体４の外部に覆設されている。
【００３５】
更に、前記計量機構５は、計量バネ５１、電磁コイル５２及び磁気コア５３を含む。計量バネ５１は懸架ロッド１に覆設されており、上端が第２筐体４の内壁に支持及び接続されている。また、下端は懸架ロッドの基端１０に支持及び接続されている。磁気コア５３は懸架ロッドの基端１０の下方に設けられており、第２筐体４に対し相対的に運動するよう設置されている。電磁コイル５２は磁気コア５３の外部に設けられており、コイルホルダ５４を介して第２筐体４内に固着されている。好ましくは、磁気コア５３は懸架ロッドの基端１０に接続されるか、或いは、懸架ロッドの基端１０の下方に弾性的に支持されている。
【００３６】
第２筐体４が懸架ロッド１上で摺動するとき、磁気コア５３は外力を受けて電磁コイル５２に対し相対的に運動する。すると、電磁コイル５２のインダクタンスが変化することで、洗濯機の外槽から第１筐体２に付与される力の変化が反映される。
【００３７】
更に、前記計量バネ５１と懸架ロッドの基端１０の間にはバネホルダ５７が設けられている。バネホルダ５７は懸架ロッドの基端１０に支持されている。
【００３８】
実施例１
【００３９】
図１〜図６に示すように、本実施例で記載する計量機構５は磁気コアホルダ５５を更に含む。磁気コア５３は磁気コアホルダ５５に装着されており、磁気コアホルダ５５と懸架ロッドの基端１０の間には調整バネ５６が設けられている。当該調整バネ５６は、磁気コアホルダ５５と懸架ロッドの基端１０を接続している。調整バネ５６は圧縮量が解放されると、懸架ロッドの基端１０と磁気コアホルダ５５の間の接続部材となって、磁気コアホルダ５５と懸架ロッド１を共に第２筐体４に対して上方へと運動させる。更に、バネホルダ５７と磁気コアホルダ５５が組み合わされることで、これらの相対的な摺動を案内するガイド部が形成される。
【００４０】
実施例２
【００４１】
図１〜図６に示すように、本実施例で記載するバネホルダ５７は下端が開口した筒状構造であり、上端に計量バネ５１を支持する支持部材５７１が設けられている（図６参照）。支持部材５７１は懸架ロッドの基端１０に支持されており、好ましくは、支持部材５７１と懸架ロッドの基端１０の間に支持パッド１１が設けられている。前記磁気コアホルダ５５は上端が開口した筒状構造となっている。磁気コアホルダ５５の上端の開口はバネホルダ５７の下端の開口に嵌接し、これらが相対的に摺動することでガイド部が構成される。ガイド部の内部には収容空間が形成されており、調整バネ５６が当該収容空間に設けられている。
【００４２】
実施例３
【００４３】
図６に示すように、本実施例で記載する磁気コアホルダ５５は２段階に径が変化する筒状構造をなしており、上段の磁気コアホルダ５５１がバネホルダ５７と組み合わされることでガイド部を構成するとともに、下段の磁気コアホルダ５５２が磁気コア装着部を構成している。好ましくは、上段の磁気コアホルダ５５１の外径が下段の磁気コアホルダ５５２の外径よりも大きい。好ましくは、磁気コア５３は磁気コア装着部の外部に覆設されている。磁気コア装着部の下端には係合爪５５３が設けられており、係合爪５５３と上段の磁気コアホルダ５５１が連携して磁気コア５３を位置決め及び装着する。
【００４４】
実施例４
【００４５】
図５に示すように、実施例１との違いとして、本実施例で記載する調整バネ５６は磁気コアホルダ５５と懸架ロッドの基端１０の間に支持されるよう設けられており、弾性支持作用を奏する。上段の磁気コアホルダ５５１の下方とコイルホルダ５４の間には更に支持バネ５８が設けられている。支持バネ５８は、下段の磁気コアホルダ５５２と磁気コア５３の外部に覆設されている。より好ましくは、支持バネ５８の弾性係数は調整バネ５６の弾性係数よりも小さい。調整バネ５６の圧縮量が解放されている最中も、支持バネ５８は上段の磁気コアホルダ５５１とコイルホルダ５４により圧縮されたままである。調整バネ５６が回復した後、支持バネ５８の圧縮量が解放され始め、このとき磁気コアホルダ５５が上方へと移動する。
【００４６】
実施例５
【００４７】
図１に示すように、本実施例で記載する圧力緩衝機構３は、振動減衰バネ３１とバネ支持ベース３２を含む。振動減衰バネ３１はブラケット２１とバネ支持ベース３２の間に支持されており、バネ支持ベース３２は第２筐体４に支持されている。好ましくは、前記振動減衰バネ３１の弾性係数が計量バネ５１の弾性係数よりも小さい。第１筐体２が力を受けて摺動する際、まずは振動減衰バネ３１が圧縮されてから計量バネ５１が圧縮されることで、振動減衰を補助するとの目的が実現される。
【００４８】
更に、前記バネ支持ベース３２は、振動減衰バネ受３２１、含油フェルト３２２及びスライドカップ３２３を少なくとも含む。振動減衰バネ３１の下端は振動減衰バネ受３２１の上方に支持されており、含油フェルト３２２及びスライドカップ３２３は、振動減衰バネ受３２１の下方、第２筐体４の上方に順に設けられている。更には、スライドカップ３２３の下方には支持パッド３２４が設けられている。
【００４９】
好ましくは、スライドカップ３２３は環状をなしており、懸架ロッド１に覆設されている。且つ、スライドカップ３２３の直径は第１筐体２の内径に対応している。
【００５０】
第１筐体２の内部には、振動減衰バネ３１の弾性力により形成される懸架ロッドの減衰力のほか、その他の減衰力も存在している。例えば、スライドカップ３２３と第１筐体２の内壁との摩擦により形成される減衰力や、第１筐体２の内部におけるスライドカップ３２３の摺動による圧縮空気で形成される減衰力が含まれる。計量出力は磁気コア５３の位置によって変化し、磁気コア５３の位置は計量バネ５１の変位により決定される。そこで、受ける力のバランスを取ることで、計量バネ５１の力が振動減衰バネ３１及びその他による懸架ロッドの減衰の合力と等しくなるようにしている。これによれば、計量バネ５１により測定される計量出力の変化がその他の懸架ロッドの減衰の影響を受けることがなく、計量がより正確となる。
【００５１】
実施例６
【００５２】
図２〜図６に示すように、本実施例で記載する第２筐体４は、第１筐体２の下端の開口２２内で第１筐体２に対し動作可能に密封接続されている。第１筐体２の下端と第２筐体４の外部には密封接続部材６が設けられている。密封接続部材６は、第１筐体２に接続される接続部６１と、第１筐体２及び第２筐体４をそれぞれ密封する密封部６２を含む。好ましくは、密封部６２は第１筐体２を軸方向に密封し、第２筐体４を径方向に密封する。
【００５３】
更に、接続部６１と密封部６２は軸方向に貫通する碗状構造を構成している。接続部６１は碗体、密封部６２は碗底をなしており、接続部６１が第１筐体２の外周壁に係接している。好ましくは、接続部６１の開口端に内向きの係合爪６１１が設けられており、第１筐体２の外周壁に係合爪６２２と係合する係合突起１１が設けられている。密封部６２と第１筐体２における下端の開口２２の端面との間には第１シールリング６２１が設けられており、密封部６２の内壁と第２筐体４の外周壁との間には第２シールリング６２２が設けられている（図６参照）。
【００５４】
実施例７
【００５５】
本発明における上記実施例のショックアブソーバを備える洗濯機は、筐体、筐体内に設けられる外槽及びその他部材を含む。外槽と筐体の間には、本発明における前記計量機能を備えたショックアブソーバが設けられている。ショックアブソーバと筐体及び外槽との具体的な接続方式については従来技術のため、ここでは詳述しない。本発明は従来のショックアブソーバを前提に計量バネ５１（図１参照）を追加することで、振動減衰バネ３１の減衰により生じる振動減衰バネ３１の変位や重量への影響を回避している。また、計量バネを追加して測定範囲を広げることで、計量センサによる測定の精度及び範囲を向上させている。
【００５６】
本実施例で記載する洗濯機は、空重量５０．５ＫＧ、満水時の最大負荷１７１ＫＧ、振動減衰バネの弾性係数５．４４４Ｎ／ｍｍ、最大圧縮量６３ｍｍであるため、振動減衰バネの密着時の洗濯機の負荷は（６３＊５．４４４／９．８）＊４＝１４０ＫＧとなる。また、計量バネの弾性係数は５９Ｎ／ｍｍである。図７は、下表に示すショックアブソーバにおける各種状態の各パラメータを組み合わせた場合を表している。
【００５７】
【表１】
2019502075.tif 000003
【００５８】
Ａ：自由状態では、電磁コイル５２における磁気コア５３の長さはＬとなり（図１参照）、対応する電磁コイルのインダクタンス周波数は３７ＫＨｚとなる。
Ｂ：空槽が懸架されている場合、計量バネ５１の圧縮量は５０．５＊９．８／４／５９＝２．１ｍｍ、バネホルダ５７の変位△ξ＝２．１ｍｍ、磁気コアホルダ５５と磁気コア５３の変位は０となる（図２参照）。調整バネ５６は圧縮状態のままであり、磁気コアホルダ５５を支持しているため、磁気コアホルダ５５と磁気コア５３に移動は発生しない。このとき、計量出力周波数は３７ＫＨｚのままとなる。
Ｃ：振動減衰バネが密着する。このとき、振動減衰バネ３１が完全に圧縮され、計量バネ５１が振動減衰を補助する。計量バネ５１の圧縮量は１４０＊９．８／４／５９＝５．８ｍｍとなる。調整バネ５６は圧縮量が完全に解放されて自由状態を回復し、懸架ロッド１は第２筐体４に対して下方に摺動する。磁気コアホルダ５５は調整バネ５６又は支持バネ５８から作用力を受けて上方へ移動する。磁気コアホルダ５５と磁気コア５３の変位は△δ１＝５．８−２．１＝３．７ｍｍとなり（図３参照）、このときの計量出力周波数は４０．７４ＫＨｚとなる。
Ｄ：最大負荷状態において、計量バネ５１の圧縮量は１７１＊９．８／４／５９＝７．２ｍｍとなり、磁気コアホルダ５５と磁気コア５３の変位は△δ２＝７．２−２．１＝５．１ｍｍとなる（図４参照）。このとき、計量出力周波数は４２．１ＫＨｚとなる。
【００５９】
また、計量出力周波数は磁気コア５３の位置によって変化し、磁気コア５３の位置は計量バネ５１の変位により決定される。そこで、受ける力のバランスを取ることで、計量バネ５１の力が振動減衰バネ３１及びその他による懸架ロッドの減衰の合力と等しくなるようにしている。これによれば、計量バネ５１からの出力周波数の変化がその他の懸架ロッドの減衰の影響を受けることがなく、計量がより正確となる。
【００６０】
上記実施例の実施方案は、更なる組み合わせ又は置き換えが可能である。また、実施例は本発明の好ましい実施例について述べたものにすぎず、本発明の構想及び範囲を限定するものではない。本発明の設計思想を逸脱しないことを前提に、当業者が本発明の技術方案について実施する各種の変形及び改良は、いずれも本発明の保護の範囲に属する。
【図１】
2019502075.tif 000004
【図２】
2019502075.tif 000005
【図３】
2019502075.tif 000006
【図４】
2019502075.tif 000007
【図５】
2019502075.tif 000008
【図６】
2019502075.tif 000009
【図７】
2019502075.tif 000010
【国際調査報告】
2019502075.tif 000011
2019502075.tif 000012
2019502075.tif 000013
2019502075.tif 000014
2019502075.tif 000015
2019502075.tif 000016